(57)【要約】      （修正有）【課題】会場内に設けられる複数のエリア毎に異なる音響情報を提供する際に、所定のエリアのみに放音しつつ、その他のエリアへの音漏れを防止する技術を提供する。【解決手段】平面スピーカ２０は、平板状の振動板と、振動板を支持するフレームと、振動板の振動面を覆う遮蔽板１０と、遮蔽板１０を自立させる脚部とを有する。イベントエリア内に平面スピーカ２０を設置するとともに、平面スピーカ２０から放射される音の到達領域である放音エリアＡ、Ｂ、Ｃと板面の少なくとも一部が交わるように遮蔽板１０Ｂ、１０Ｃを設置することにより、所定のエリアのみに放音しつつ、その他のエリアへの音漏れを防止する。【選択図】図９
2017038159.tif 000002
【特許請求の範囲】
【請求項１】
平板状の振動板と、
前記振動板を支持するフレームと、
前記振動板の振動面を覆う遮蔽板と、
前記遮蔽板を自立させる脚部と
を有する平面スピーカ。
【請求項２】
前記脚部は、前記遮蔽板の高さを調整する高さ調整機構を有することを特徴とする請求項１に記載の平面スピーカ。
【請求項３】
前記遮蔽板は、前記フレームに着脱可能であることを特徴とする請求項１または２に記載の平面スピーカ。
【請求項４】
前記遮蔽板における前記振動板の振動面を覆う側の面には、吸音材が貼着されていることを特徴とする請求項１から３の何れか１項に記載の平面スピーカ。
【発明の詳細な説明】
【技術分野】
【０００１】
本発明は、平面スピーカに関する。
【背景技術】
【０００２】
近年、コンサートやライブなどの娯楽の公演を目的としたイベントや、物産展や展示会などの販促やマーケティングを目的としたイベントなどの各種のイベントが開催されている。これらのイベントの中には、固定した客席設備や音響設備を備える劇場やホールではなく、例えば野外広場や展示場で仮設の設備を用いて開催されるものがある。この場合、イベントの会場を複数のエリアに区分けし、エリア毎にそれぞれ異なるイベントを行って、来場者の個々の興味に即したイベント（情報）の提供を行うことがある。
【０００３】
例えば、野外音楽フェスティバルでは、会場となる野外広場等を複数のエリアに区分けし、各エリアにステージが設営される。各ステージではそれぞれ異なるアーティストが、周囲に集まった聴衆に向けて演奏を行う。また、モータショーや新製品発表会等の展示会では、展示場を複数のエリアに区分けし、各エリアに出展企業のブースが設営される。各ブースでは、訪れた来場者に対して出展企業により、音・映像等によるプレゼンテーションが行われる。
【先行技術文献】
【特許文献】
【０００４】
【特許文献１】特開昭５８−１０７７９３号公報
【特許文献２】特表２００９／０７８１６４号公報
【特許文献３】実用新案登録第２５５６２５５号公報
【特許文献４】特開２０１４−０８６８３１号公報
【発明の概要】
【発明が解決しようとする課題】
【０００５】
通常、この種のイベントでは、各エリアに音響設備が設けられ、出展者やアーティスト（以下、「情報提供者」と呼ぶ）が提供する音響情報はスピーカを通じて来場者に拡声・伝達される。各エリアでは、スピーカの配置や拡声される音の音量・音質等を制御することにより、その音の到達領域（聴取者が音響情報を聴き取れる領域、以下、「放音エリア」と呼ぶ）が割り当てられたエリア内に留まるように制限すると共に、その音が他のエリアへ到達して、他者のプレゼンテーション等の妨げとならないようにする必要がある。
【０００６】
会場内に設けられた放音エリアに対して音響情報を提供する技術の一例としては、劇場用の音響システムが挙げられる。劇場用の音響システムとは、映画館やコンサートホール等の舞台と客席（固定席）とを有する劇場に導入される音響システムであり、劇場内に配置された複数のスピーカから放射される音を制御することで、劇場内の各エリア（例えば、１階席や２階席などの各客席エリア）に適切な音を均等に提供することを目的とするシステムである。しかし、この種の音響システムは、会場内を複数のエリアに区切ってエリア毎に異なる音響情報を提供するイベントを目的としておらず、施設の形態や建築条件から見ても、会場内を複数のエリアに区切ってエリア毎に異なる音響情報を提供するイベントには適していない。
【０００７】
一方、前述の各種のイベントは、開催期間に限りのあるものが多く、イベントの終了と同時に各エリアの音響設備は撤去され、次に開催されるイベントに向けて会場内のレイアウトや音響設備が刷新される。また、イベント開催中においても、例えば、時間帯や日によって各エリアを訪れる来場者の数や内容の変動が予測される場合には、その予測内容に応じて各エリアの規模を拡張或いは縮小して、各エリアに設置されるスピーカ配置等を変更することが必要となる。このため、この種のイベント会場に設置される音響システムでは、スピーカ配置等を適宜変更できる仮設（可動）の設備であることが前提となるが、前述の劇場用の音響システムは常設（固定）の音響設備を前提とするものであり、この点で相容れない。
【０００８】
この発明は、以上説明した事情に鑑みてなされたものであり、会場内に設けられる複数のエリア毎に異なる音響情報を提供する際に、所定のエリアのみに放音しつつ、その他のエリアへの音漏れを防止する技術を提供することを目的としている。
【課題を解決するための手段】
【０００９】
本発明は、平板状の振動板と、前記振動板を支持するフレームと、前記振動板の振動面を覆う遮蔽板と、前記遮蔽板を自立させる脚部とを有する平面スピーカを提供する。
【００１０】
本発明によれば、平面スピーカから放射された音は、上記遮蔽板により遮蔽され、その背後の領域に到達することはない。このため、上記遮蔽板を適切に設置することで所定のエリアのみに放音しつつ、その他のエリアへの音漏れを防止する（すなわち、放音エリアを制御する）ことが可能になる。
【００１１】
特許文献１〜４には、スピーカの振動板の正面に遮蔽板或いはこれと同等のものを設置する技術が開示されている。しかし、特許文献１〜４に開示された技術は、いずれも振動板の正面の中央部を含む一部を覆うように遮蔽板を設置することにより、スピーカの周波数特性を改善するためのものであって、放音エリアを制御するものではない。これに対し、本願発明は、放音エリアを制御することを目的とする技術であり、特許文献１〜４に開示された技術とは異なるものである。
【図面の簡単な説明】
【００１２】
【図１】複数のエリアに区分けされたイベント会場の一角を示す俯瞰図である。
【図２】平面スピーカ２０の構成を示す斜視図である。
【図３】本発明の一実施形態である遮蔽板１０の構成を示す斜視図である。
【図４】同実施形態における遮蔽板１０の側面図である。
【図５】同実施形態において、遮蔽板１０を平面スピーカ２０に装着したときの態様を示す図である。
【図６】同実施形態における遮蔽板１０の設置態様の一例を示す斜視図である。
【図７】遮蔽板１０の使用例を説明するための図である。
【図８】遮蔽板１０の使用例を説明するための図である。
【図９】遮蔽板１０の使用例を説明するための図である。
【図１０】遮蔽板１０の他の使用例を説明するための図である。
【図１１】遮蔽板１０の他の使用例を説明するための図である。
【図１２】遮蔽板１０における高さ調整機構の他の具体例を示す図である。
【発明を実施するための形態】
【００１３】
（Ａ：実施形態）
以下、図面を参照しつつ本発明の実施形態を説明する。
図１は、複数のエリアに区分けされたイベント会場の一角の俯瞰図である。このイベント会場は、例えば、野外音楽フェスティバルの会場である。この会場は、演奏される音楽に応じて複数のエリアに区分けされている。これら複数のエリアのうち、一のエリア（以下、「イベントエリア」と呼ぶ）内に、平面スピーカ２０、およびこの発明の一実施形態である遮蔽板１０が設置されている。図１に示す平面スピーカ２０は、平面音波を放射することにより、その前後に放音エリアを形成する。図１に示す例では、この放音エリアを上記イベントエリア内に制限するために、４枚の遮蔽板１０が、平面スピーカ２０の正面方向および背面方向に設置されている。周知の通り、平面スピーカは狭い指向性を有するので、平面スピーカ２０の正面方向および背面方向から外れたエリアには、ほとんど音は伝達されない。したがって、このように遮蔽板１０を設置することにより、図中の点線で示すような放音エリアが形成される。以下、平面スピーカ２０および遮蔽板１０の構成を説明する。
【００１４】
図２は、平面スピーカ２０の構成を示す斜視図である。本実施形態では、平面スピーカ２０は、いわゆるオーディオ鑑賞用の個人向けのスピーカではなく、広いエリアに大音量の音を拡声する業務用のスピーカである。このため、１台で全周波数帯域を再生できるように、その大きさは幅が１８００ｍｍ程度、高さが９００ｍｍ程度と、通常のオーディオ観賞用のスピーカよりも大きな寸法で構成される。図２に示すように、平面スピーカ２０は、振動板２１、フレーム２２、および脚部２３を有する。以下、図２におけるＹ軸方向を前後方向と、同Ｚ軸方向（すなわち、鉛直方向）を上下方向と、同Ｘ軸方向（すなわち、放音方向と鉛直方向の両方向に直交する方向）を左右方向と呼ぶ。振動板２１は、幅が１８００ｍｍ程度、高さが９００ｍｍ程度の平板状の発泡スチロールにより構成される。振動板２１は、振動板２１の裏面に複数配置されるアクチュエータ（図示略）に入力される音響信号に応じて振動する。この振動板２１の振動により平面スピーカ２０の前後方向に平面音波が放射される。フレーム２２は、方形枠状の形状を有し、平面スピーカ２０の筺体の一部を構成する。フレーム２２には、振動板２１を振動可能に支持する部材であるエッジ（図示略）の一端が接着等により接続されており、このエッジの他端に振動板２１が接着等により接続されている。フレーム２２は、エッジを介して振動板２１を支持する支持部材を構成する。フレーム２２の底部には、２つの脚部２３が固定されている。脚部２３は、台座２３１およびローラ２３２を有する。台座２３１の上面はフレーム２２の底部に固定されており、その下面には回転可能な複数個のローラ２３２が設けられている。平面スピーカ２０のイベントエリアへの搬入等の際には、ローラ２３２が回転するため、平面スピーカ２０をスムーズに移動させることが可能となる。
【００１５】
図３は、この発明の一実施形態である遮蔽板１０の構成を示す斜視図である。遮蔽板１０は、平面スピーカ２０の振動板２１の振動面を覆い、平面スピーカ２０から放射される音波を遮蔽するためのものである。また、遮蔽板１０は、イベントエリアへの搬入、運搬等の移動の際に、外部からの衝撃等から平面スピーカ２０（特に振動板２１）を保護する保護板としても用いられる。図３（ａ）は野外スペースに設置された遮蔽板１０を平面スピーカ２０の振動板２１に対向する面の側である対向面側とは反対側（すなわち、外側）から見た斜視図であり、図３（ｂ）は当該遮蔽板１０を上記対向面側（すなわち、内側）から見た斜視図である。図３（ａ）および（ｂ）に示すように、遮蔽板１０は、本体部１１、脚部１２、および吸音材１３により構成される。
【００１６】
本体部１１は、遮蔽上側部１１１、遮蔽下側部１１２および遮蔽本体部１１３により構成される。遮蔽上側部１１１および遮蔽下側部１１２は、遮蔽本体部１１３に対してＹ軸方向に突出しており、ＹＺ平面による断面形状がコの字型となるように形成されている。詳細については後述するが、本体部１１のコの字部分を平面スピーカ２０のフレーム２２の上端部および下端部に係合させることで、遮蔽板１０を平面スピーカ２０に着脱可能に装着することができる。遮蔽本体部１１３は、前方から見たときの各辺の長さが９００ｍｍ程度の板状部材であり、図３（ｂ）に示すように、内側の面には遮蔽本体部１１３と同程度の面積を有する長方形の平板状の吸音材１３が貼着されている。なお、遮蔽本体部１１３は、平面スピーカ２０から放音される音波を遮蔽（遮音）する遮蔽板として機能するように、所定の遮音性能を有する板状の部材である遮蔽部材で構成される。具体的には、遮蔽本体部１１３は、石膏ボード、木質ボード、金属板または樹脂板等の板状の部材、またはこれら板状の部材の組合せにより構成される。さらに、これら板状部材を箱状に構成し、内部の空間に吸音材を充填して、遮音性能を向上する構成としてもよい。
【００１７】
脚部１２は、本体部１１を支持する（自立させる）。また、脚部１２は、高さ調整機構を有し、遮蔽板１０の底面等からの高さを自在に設定できるように構成されている。図４は、遮蔽板１０の側面図である。図４に示すように、脚部１２は軸１２１、台座１２２および固定具１２３を有する。軸１２１は外周部に螺旋状の溝（図４では図示略）が形成された棒状の部材である。固定具１２３は、その内径が軸１２１の直径と同程度の円筒状の部材であり、その内周面には螺旋状の溝（図４では図示略）が形成されている。本体部１１の内部には、軸１２１を挿入することができるように、Ｚ軸方向に孔１１４が設けられており、この孔の内部に固定具１２３が固定されている。孔１１４に挿入された軸１２１は固定具１２３と螺合した状態で固定され、本体部１１と軸１２１を一体化させることができる。台座１２２は、板状の部材で構成され、その中央にはＺ軸方向に孔が設けられている。軸１２１の下端部はこの孔の内部に回転自在に固定されている。台座１２２は、軸１２１を介して上方に固定された本体部１１をバランス良く支持することができる程度の面積および質量を有する部材であれば良い。なお、高さ調整機構の構成は上記構成に限定されるものではなく、適宜変更してもよい（変形例（４）参照）。
【００１８】
遮蔽板１０の高さ（遮蔽板１０が設置されるイベント会場の床面から遮蔽下側部１１２までの高さ）は、通常、平面スピーカ２０の高さ（平面スピーカ２０が設置されるイベント会場の床面からフレーム２２の下端までの高さ）と同程度となるように設定して、遮蔽板１０の全面が振動板２１の前面（或いは背面）を覆うように構成されるが、遮蔽板１０の高さを平面スピーカ２０の高さとは異なる高さとなるよう設定して、遮蔽板１０の一部の面が振動板２１の前面（或いは背面）を覆うように構成してもよい。より詳細に説明すると、図４（ｂ）に示すように、ユーザが軸１２１を矢印の向きに回転させると本体部１１が軸１２１に沿って上方へ移動し、逆向きに回転させると下方へ移動する。そして、ユーザが軸１２１の回転を止めると、軸１２１は固定具１２３とその位置で螺合した状態を維持するため、本体部１１はその高さで固定される。このようにして、遮蔽板１０の底面等からの高さを所望の高さに調整することが可能となる。さらに、台座１２２は、軸１２１を回転軸としてＸＹ平面内で回転することができる。例えば、野外スペースに遮蔽板１０を設置する際には、図４（ａ）に示すように、台座１２２の長手方向をＹ軸に対して平行とする。これにより、空間内に遮蔽板１０を自立させた状態で設置することが可能となる。なお、遮蔽板１０のイベントエリアへの搬入等の際には、図４（ｃ）に示すように、台座１２２の長手方向をＸ軸に対して平行となるように台座１２２を回転させれば良い。台座１２２が移動作業の妨げとならないようにするためである。
以上が遮蔽板１０および平面スピーカ２０の構成である。
【００１９】
（Ｂ：使用例）
以下、図面を参照しつつ本発明の使用例を説明する。
図５は、遮蔽板１０を平面スピーカ２０に装着したときの態様（例えば、平面スピーカ２０とともに倉庫等に格納されている状態或いはイベント会場への移動中の状態における態様）を示す図である。図５（ａ）に示すように、２枚の遮蔽板１０は、各々の内側の面を平面スピーカ２０の前方或いは後方の面に接触させつつ、当該平面スピーカを挟み込むような態様で装着される。また、図５（ｂ）に示す例では、平面スピーカ２０の２つの脚部２３の間に４枚（前方に２枚、後方に２枚）の遮蔽板１０が装着されている。このとき、台座１２２の長手方向はＹ軸に対して平行となるように固定される。これにより、各遮蔽板１０の台座１２２が、これに対向する遮蔽板１０の台座１２２と接触することを防止することが可能となる。また、台座１２２が地面に接触しないように、遮蔽板１０の高さが最も低くなるように脚部１２１の長さが調整されている。このように、遮蔽板１０をローラ２３２によるスムーズな移動が可能な平面スピーカ２０に装着することにより、当該遮蔽板１０の運搬に伴う負担を緩和することが可能となる。また、遮蔽板１０および平面スピーカ２０を各々別々に格納する場合に比較して狭いスペースに格納することができる。
【００２０】
上述したように、会場内が多くのイベントエリアに区分けされ、イベントエリア毎に異なる音響情報を提供する際には、他のイベントエリアへの音漏れに留意する必要がある。そこで、本実施形態では、遮蔽板１０および平面スピーカ２０をイベントエリア内に設置することにより、これを実現する。すなわち、本実施形態では、イベントエリア内に平面スピーカを設置するとともに、そのイベントエリア内に形成される放音エリアと遮蔽板１０の遮蔽部材（遮蔽本体部１１３等）の面の少なくとも一部が交わるように遮蔽板１０を設置する。より詳細には、本実施形態では、平面スピーカ２０の周辺に、１または複数の遮蔽板１０を設置する。以下では、遮蔽板１０を平面スピーカ２０の前方および後方に設置し、平面スピーカ２０の一方向（図６に示す例では前方）にのみ放音エリアを形成する場合を、複数の例に挙げて説明する。
【００２１】
図６は、放音エリア内に設置された遮蔽板１０の態様を示す斜視図である。図６（ａ）には、３枚の遮蔽板１０が平面スピーカ２０の前方および後方に設置されている。いずれの遮蔽板１０も、吸音材１３が貼着された面（内側の面）が、平面スピーカ２０の前方および後方の面に対向して設置されている。より詳細には、平面スピーカ２０の後方に設置された２枚の遮蔽板１０は、当該平面スピーカの後方の面（以下、背面）全体を覆うように設置されている。このように、吸音材２１を有する遮蔽板１０を振動板２１に対向させつつ、平面スピーカ２０の背面全体を覆うように設置することにより、当該平面スピーカ２０の前方にのみ放音エリアを形成することができる。また、このように遮蔽板１０を平面スピーカ２０の近傍に設置する態様では、遮蔽板１０を外部からの衝撃から平面スピーカ２０を保護する保護板として機能させることも可能となる。
【００２２】
一方、平面スピーカ２０の前方には、当該平面スピーカの右側半分の面を覆うように対向して１枚の遮蔽板１０が設置されている。この設置態様によれば、遮蔽板１０により覆われていない平面スピーカ２０の左側半分の面の前方にのみ放音エリアを形成することが可能となる。図６（ｂ）に示す例では、平面スピーカ２０の前方には、当該平面スピーカの上側の一部の面（例えば、半分の面）を覆うように２枚の遮蔽板１０が設置されている。この設置態様によれば、遮蔽板１０により覆われていない平面スピーカ２０の下側の一部の面（半分の面）の前方にのみ放音エリアを形成することが可能となる。また、図６（ｃ）に示す例では、平面スピーカの前方には、当該平面スピーカの左側１／４の面を覆うように対向して１枚の遮蔽板１０が設置されている。この設置態様によれば、図６（ａ）に示す例よりも小さな放音エリアを平面スピーカ２０の右側前方に形成することが可能となる。なお、一時的に平面スピーカ２０の前方に放音エリアを形成しないようにする場合、平面スピーカ２０の前方の面全体を覆うように２枚の遮蔽板１０を設置すればよい。このように、本実施形態によれば、遮蔽板１０の設置位置、すなわち左右の位置または高さを適宜調整し、平面スピーカ２０の放音方向の面の少なくとも一部を覆うことにより、その部分の前方に音が伝達されない領域を形成することが可能となる。すなわち、所定のエリアのみに放音しつつ、その他のエリア（隣接エリア）への音漏れを防止して、放音エリアを制御することが可能になる。なお、振動板２１の振動により音波を発生させるためには、振動板２１の前後に空気の流通路を確保する必要がある。このため、平面スピーカ２０から数ｃｍ或いは数十ｃｍ程度離間させて、遮蔽板１０を平面スピーカ２０の近傍に設置するのが好ましい。
【００２３】
次に、玩具の展示会および野外音楽フェスティバルを例にとって本実施形態による放音エリアの形成方法を具体的に説明する。
［展示会］
ある展示会場において、玩具メーカ９社による玩具の展示会が開催されている。この展示会の展示会場は、複数のイベントエリアに区分けされている。図７は、この展示会場の区分けの概略を示す平面図である。図７に示すように、この展示会場の会場内は９つのイベントエリアに区分けされ、各エリアには各社が自社製品を展示するためのブースＢ１〜Ｂ９が設営されている。例えば、この展示会の一出展社である企業Ｎには、ブースＢ１が割り当てられている。
【００２４】
図８は、企業Ｎに割り当てられたブースＢ１の俯瞰図である。図８（ａ）に示すように、企業ＮのブースＢ１の中央には、玩具を展示するための展示台が設営されている。この展示台は、各辺の長さが１８００ｍｍ程度、高さが９００ｍｍ程度の直方体の展示台である。この展示台の各側面の近傍には４枚の平面スピーカ２０（以下、平面スピーカ２０Ｎ＿１〜２０Ｎ＿４と表記。他の企業に割り当てられたブースに設置された平面スピーカ２０についても同様。）が設置されている。これら平面スピーカ２０Ｎ＿１〜２０Ｎ＿４の高さも９００ｍｍ程度に調整されており、ちょうど展示台の高さと一致している。展示台の上に展示された玩具の観賞の妨げとならないようにするためである。また、この平面スピーカの高さは、子ども達の耳の高さとほぼ等しく、子ども達が平面スピーカ２０Ｎ＿１〜２０Ｎ＿４から放音される音を確実に聴き取ることが可能なように構成されている。平面スピーカ２０Ｎ＿１〜２０Ｎ＿４の後方には２枚の遮蔽板１０が設置されており、平面スピーカ２０Ｎ＿１〜２０Ｎ＿４の後方に放音される音を遮蔽し、前方にのみ音を放音することが可能となっている（図中の矢印参照）。これにより、図８（ａ）に示すように、平面スピーカ２０Ｎ＿１〜２０Ｎ＿４の前方には放音エリアＡ〜Ｄが形成されることになる。したがって、子ども達は、展示台の周りを周回して、放音エリアＡ〜Ｄの各放音エリアを順次進んでいくことにより、他のエリアで流れる玩具の説明音声が交じり合うことなく、各エリアで流れる玩具の説明音声を明瞭に聞くことができる。
【００２５】
図８（ｂ）は、ブースＢ１の隣にあるブースＢ２で展示を行っていた企業Ｔが、自己のブースのレイアウト変更を行った際の様子を示す図である。図８（ｂ）に示すように、企業ＮのブースＢ１に設置された放音エリアＡを形成する平面スピーカ２０Ｎ＿１と対向する位置に、企業Ｔの平面スピーカ２０Ｔ＿３が設置されている。このままでは、ブースＢ１における放音エリアＡとブースＢ２における放音エリアＣが重複し、各々の放音エリアで行われる説明が混在するおそれがある。しかし、例えば、遮蔽板１０を使用して、ブースＢ１における放音エリアＡを２つのエリアに分割することにより、各々が各エリアを利用できるようになるため、これを回避することができる。より詳細に説明すると、図８（ｂ）に示すように、企業Ｎ側の平面スピーカ２０Ｎ＿１の右側半分（ただし、企業Ｔから見た場合）の面を１枚の遮蔽板１０で覆うことにより、平面スピーカ２０Ｎ＿１の左側半分の面の前方にだけ放音エリアＡ’が形成されることになる。一方、企業Ｔ側の平面スピーカ２０Ｔ＿３の右側半分（ただし、企業Ｎから見た場合）の面を１枚の遮蔽板１０で覆うことにより、平面スピーカ２０Ｔ＿３の左側半分の面の前方にだけ放音エリアＣ’が形成されることになる。このように平面スピーカ２０Ｎ＿１および２０Ｔ＿３を遮蔽板１０で覆うことにより、各放音エリアの重複は回避され、ブースＢ１の放音エリアＡ’を訪れた子ども達は、ブースＢ２の放音エリアＣ’で行われる説明音声により妨げられることなく、放音エリアＡ’で流れる説明音声を明瞭に聞くことができる。同様に、ブースＢ２の放音エリアＣ’を訪れた子ども達は、ブースＢ１の放音エリアＡ’で行われる説明音声により妨げられることなく、放音エリアＣ’で流れる説明音声を明瞭に聞くことができる。
【００２６】
図８（ｃ）は、ブースＢ１の隣にあるブースＢ４で展示を行っていた企業Ｋが、自己のブースのレイアウト変更を行った際の様子を示す図である。図８（ｃ）に示すように、企業ＮのブースＢ１に設置された放音エリアＢを形成する平面スピーカ２０Ｎ＿２と対向する位置に、企業Ｋの平面スピーカ２０Ｋ＿４が設置されている。このままでは、ブースＢ１における放音エリアＢとブースＢ４における放音エリアＤが重複し、各々の放音エリアで行われる説明が混在するおそれがある。しかし、例えば、企業Ｎが当該放音エリアを企業Ｋのために譲り渡し、図８（ｃ）に示すように、平面スピーカ２０Ｎ＿２の前方の面全体を２枚の遮蔽板１０で覆うことにより、これを回避することができる。このように平面スピーカ２０Ｎ＿２を遮蔽板１０で覆うことにより、ブースＢ１における放音エリアＢは消滅し、その場所には、ブースＢ４における放音エリアＤのみが形成されることになる。この結果、ブースＢ４の放音エリアＤを訪れた子ども達は、ブースＢ１の放音エリアＢで行われる説明音声により妨げられることなく、放音エリアＤで流れる説明音声を明瞭に聞くことができる。
【００２７】
［野外音楽フェスティバル］
図９は、野外音楽フェスティバルの会場である野外広場の上面図である。図９（ａ）は、この野外音楽フェスティバルの主催者Ｘにより野外広場に設営された仮設ステージＳ１〜Ｓ３（斜線部）を示す図である。ステージＳ１〜Ｓ３の高さは、いずれも１８００ｍｍ程度である。ステージＳ１〜Ｓ３の前部には、このステージと同程度の高さを有する４枚の平面スピーカ２０が設置されているため、ステージで演奏するアーティストによる演奏音を聴衆に伝達することが可能となっている。また、各平面スピーカの後方（ステージ側）には２枚の遮蔽板１０が設置されており、各平面スピーカ２０の後方に放音される音を遮蔽し、前方にのみ音を放音することが可能となっている。同図中の矢印は、音の放音方向を模式的に示したものである。これにより、ステージＳ１、Ｓ２およびＳ３の前方には、それぞれ図中の矢印を含むエリアである点線部で示したエリアが、放音エリアＡ、ＢおよびＣとして形成されることになる。また、各平面スピーカの正面には、椅子（図示略）が設置されている。これにより、聴衆がこの椅子に座ると、各平面スピーカの高さが聴衆の耳の高さとほぼ等しくなり、聴衆が演奏音をよく聴き取れることが可能な構成となっている。
【００２８】
当日の開催スケジュールによると、ステージＳ１〜Ｓ３の各ステージでは、それぞれアーティストＮ、アーティストＴおよびアーティストＫによる演奏が同時に開催されることになっている。図９（ａ）に示すように、放音エリアＡ〜Ｃはそれぞれ重複しており、各ステージで同時に演奏を行うとなると、各放音エリアの演奏音が混在することは明らかである。しかし、例えば、遮蔽板１０を使用して、各放音エリアが重複しないような放音エリアを形成することにより、これを回避することができる。より詳細に説明すると、図９（ｂ）に示すように、放音エリアＡと放音エリアＢの境界付近に、放音エリアＢを形成する３枚の平面スピーカ２０と対向するように、各平面スピーカにつき２枚の遮蔽板１０Ｂが設置されている。これにより、放音エリアＢがあった場所には新たに放音エリアＢ’が形成され、放音エリアＡとの重複を回避することが可能となる。同様に、放音エリアＡと放音エリアＣの境界付近に、放音エリアＣを形成する３枚の平面スピーカ２０と対向するように、各平面スピーカにつき２枚の遮蔽板１０Ｃが設置されている。これにより、放音エリアＣがあった場所には新たに放音エリアＣ’が形成され、放音エリアＡとの重複を回避することが可能となる。このように遮蔽板１０Ｂおよび１０Ｃを設置することにより、各放音エリアの聴衆は、各ステージで演奏を行うアーティストによる演奏音をよく聴き取れることができる。
【００２９】
以上、本実施形態によると、複数のイベントエリアに区分けされた会場内の各イベントエリア内に平面スピーカ２０を設置するため、各イベントエリア内に音の広がりの小さな放音エリアが形成される。加えて、各イベントエリア内に形成される放音エリアと遮蔽板１０の遮蔽部材（遮蔽本体部１１３等）の面の少なくとも一部が交わるように遮蔽板１０を設置することにより、平面スピーカ２０から放音された音の少なくとも一部が、遮蔽板１０により遮蔽される。したがって、当該音の少なくとも一部が、平面スピーカ２０の背後の領域に到達することはない。このため、各イベントエリアの内部にのみ放音エリアを形成することが可能となる。このように、上記遮蔽板を適切に設置することで所定のエリアのみに放音しつつ、その他のエリア（隣接エリア）への音漏れを防止する（すなわち、放音エリアを制御する）ことが可能になる。
【００３０】
（Ｃ：変形）
以上本発明の一実施形態について説明したが、この実施形態に以下の変形を加えても勿論良い。
（１）上記実施形態では、イベント会場を区画することで複数のイベントエリアを形成する場合について説明したが、イベント会場内に各々島状の複数のイベントエリアを形成、すなわち、他のイベントエリアとは隣接しないように複数のイベントエリアを形成しても良い。また、上記実施形態ではイベント会場の床面に対して水平方向に平面的に放音エリアを形成する場合について説明したが、高さ方向を含めて立体的に放音エリアを形成することも可能である。図１０は、地面に対して斜め上方に形成された放音エリアを示す図である。図１０に示す例では、平面スピーカ２０の振動板２０をイベント会場の床面に対して傾斜させる傾斜機構を備えることにより、当該床面に対して斜め上方に放音エリアが形成されている。このように、地面に対して斜め上方に形成された放音エリアの利用が想定される会場としては、例えば、すり鉢状に造られた野球場が挙げられる。野球場は、グラウンドを取り囲むように階段状の観客席が設置されている。この場合も、平面スピーカ２０の前方および後方に遮蔽板１０を設置し、平面スピーカ２０の傾斜度合に応じて適宜その高さおよび設置位置を調整することにより、図示のように特定の範囲にのみ放音エリアを形成することが可能となる。なお、平面スピーカ２０を斜めに傾斜した台の上に設置することにより、放音エリアを地面に対して斜め上方に形成しても勿論良い。
【００３１】
（２）上記実施形態では、遮蔽板１０の遮蔽本体部１１３（吸音材１３）の各辺の長さを９００ｍｍ程度としたが、遮蔽本体部１１３の各辺の長さはこれに限定されるものではない。例えば、平面スピーカ２０の振動板２１の大きさに合わせて、遮蔽板１０の幅を１８００ｍｍ程度、高さを９００ｍｍ程度としてもよい。この場合、振動板２１（幅が１８００ｍｍ程度、高さが９００ｍｍ程度）の前面および背面を２枚（前方に１枚、後方に１枚）の遮蔽板１０で覆うことが可能となる。また、平面スピーカ２０の振動板２１の幅および高さを、遮蔽板１０の遮蔽本体部１１３の各辺の長さに合わせて、それぞれ９００ｍｍ程度としてもよい。図１１は、放音エリア内に設置された遮蔽板１０の別の態様を示す斜視図である。この図に示す平面スピーカ２０Ａの振動板２１Ａの各辺の長さは９００ｍｍ程度あり、遮蔽本体部１１３の各辺の長さと同程度である。図１１に示す例では、平面スピーカ２０の前方には、当該平面スピーカの右側半分の面を覆うように遮蔽板１０が設置されている。この設置態様によれば、遮蔽板１０により覆われていない平面スピーカ２０の左側半分の面の前方にのみ放音エリアを形成することが可能となる。平面スピーカ２０の左側半分の面を覆うように遮蔽板１０を設置して、遮蔽板１０により覆われていない平面スピーカ２０の右側半分の面の前方にのみ放音エリアを形成しても勿論良い。
【００３２】
（３）上記実施形態では、前方視で長方形の吸音材１３を遮蔽板１０に貼着したが、吸音材１３の形状はこれに限定されるものではない。例えば、吸音材１３の前方視の形状が円形や平行四辺形等であってもよい。
【００３３】
（４）上記実施形態において、高さ調整機構を他の構成としてもよい。図１２は、高さ調整機構の他の構成の具体例として、フランス落しの機構を用いた高さ調整機構１２０が設けられた遮蔽板１０を示す斜視図である。高さ調整機構１２０は、シャフト１２４、台座１２５および筒状部１２６を有する。台座１２５は、板状の部材で構成され、その上面側に設けられた孔の内部にはシャフト１２４の下端部が回転自在に固定されている。筒状部１２６は、その断面形状が半円状である筒状の部材である。筒状部１２６の側面の長手方向には切込み３が設けられている。切込み３の長手方向の途中の位置には複数の切込み（図示の例では、切込み１および２の２つ）が設けられている。筒状部１２６は、遮蔽本体部１１３の吸音材１３が貼着されていない側の面に固定されている。シャフト１２４は、棒状の部材と、その長手方向の途中の位置に設けられたつまみ１２４１とにより構成されている。つまみ１２４１が切込み３に位置している状態では、シャフト１２４を上下に移動させることができる。シャフト１２４を所定の位置で固定する際には、つまみ１２４１を切込み１または２のいずれかの位置で回転させ、その切込みに係合させる。このように、シャフト１２４を昇降させ、複数の切込み（図示の例では切込み１または２）のいずれかに係合させることにより、本体部１１（遮蔽板１０）の高さを複数の段階（図示の例では２段階）に設定することが可能となる。図１２（ａ）は、下方にスライドしたつまみ１２４１を切込み２に係合させて、本体部１１の高さを高い位置に設定した例である。図１２（ｂ）は、上方にスライドしたつまみ１２４１を切込み１に係合させて、本体部１１の高さを低い位置に設定した例である。なお、図示の例では筒状部１２６には２つの切込みが設けられているが、切込みの数は２つに限られない。
【符号の説明】
【００３４】
１０，１０Ｂ，１０Ｃ…遮蔽板、１１…本体部、１１１…遮蔽上側部、１１２…遮蔽下側部、１１３…遮蔽本体部、１１４…孔、１２…脚部、１２０…高さ調整機構、１２１…軸、１２２，１２５，２３１…台座、１２３…固定具、１２４…シャフト、１２４１…つまみ、１２６…筒状部、１３…吸音材、２０，２０Ｎ＿１〜２０Ｎ＿４，２０Ｔ＿１〜２０Ｔ＿４，２０Ｋ＿１〜２０Ｋ＿４…平面スピーカ、２１…振動板、２２…フレーム、２３…脚部、２３２…ローラ、Ｓ１〜Ｓ３…ステージ、Ｂ１〜Ｂ９…ブース、Ａ〜Ｄ，Ａ’〜Ｃ’…放音エリア。
【図１】
2017038159.tif 000003
【図２】
2017038159.tif 000004
【図３】
2017038159.tif 000005
【図４】
2017038159.tif 000006
【図５】
2017038159.tif 000007
【図６】
2017038159.tif 000008
【図７】
2017038159.tif 000009
【図８】
2017038159.tif 000010
【図９】
2017038159.tif 000011
【図１０】
2017038159.tif 000012
【図１１】
2017038159.tif 000013
【図１２】
2017038159.tif 000014